(57)【要約】【課題】可動コネクタの放熱性を向上させる。【解決手段】回路基板Ｐ１に取り付けられる固定ハウジング２と、プラグコネクタと嵌合接続する可動ハウジング３と、プラグコネクタと導通接触する接触部４ｅと、可動ハウジング３を固定ハウジング２に対して変位可能に支持する可動部４ｃとを有する端子４と、可動ハウジング３及び端子４の収容空間２ａとを備えており、固定ハウジング２は、プラグコネクタの嵌合方向に対する交差方向に伸長する上壁部２ｆを有し、可動ハウジング３は、嵌合方向とは反対方向である抜去方向の可動ハウジング３の変位を上壁部２ｆと接触して規制する可動側係合部３ａを有し、可動側係合部３ａは、収容空間２ａ内の熱が外部空間へと流れる放熱部３ｂを有する。【選択図】図３
2020202042.tif 000002
【特許請求の範囲】
【請求項１】
基板に取り付けられる第１のハウジングと、
接続対象物と嵌合接続する第２のハウジングと、
前記接続対象物と導通接触する接触部と、前記第２のハウジングを前記第１のハウジングに対して変位可能に支持する可動部とを有する端子と、
前記第２のハウジング及び前記端子の収容空間とを備えており、
前記第１のハウジングは、前記接続対象物の嵌合方向に対する交差方向に伸長する第１の係合部を有し、
前記第２のハウジングは、前記嵌合方向とは反対方向である抜去方向の前記第２のハウジングの変位を前記第１の係合部と接触して規制する第２の係合部を有する可動コネクタにおいて、
前記第２の係合部は、前記収容空間内の熱が外部空間へと流れる放熱部を有することを特徴とする可動コネクタ。
【請求項２】
前記放熱部は、前記第２の係合部を貫通する貫通孔である
請求項１記載の可動コネクタ。
【請求項３】
前記第２の係合部は、複数の係合突起によって構成されており、
前記放熱部は、前記交差方向で隣り合う前記係合突起の間に設けられる
請求項１記載の可動コネクタ。
【請求項４】
前記第２のハウジングは、前記交差方向で隣り合う前記係合突起どうしを連結する係合突起連結部を有する
請求項３記載の可動コネクタ。
【請求項５】
前記第２の係合部は、前記可動部よりも前記抜去方向の側に位置する
請求項１〜請求項４いずれか１項記載の可動コネクタ。
【請求項６】
少なくとも前記可動部の一部は、前記嵌合方向からの視点で、前記放熱部と重なるように位置する
請求項１〜請求項５いずれか１項記載の可動コネクタ。
【請求項７】
前記可動部は、前記抜去方向側に折り返し部を有しており、
前記折り返し部は、前記嵌合方向からの視点で、前記放熱部からずれて位置する
請求項１〜請求項６いずれか１項記載の可動コネクタ。
【請求項８】
前記第１のハウジングは、前記放熱部と連通して前記第１のハウジングの外部に前記放熱部を露出させる露出部を有し、
前記嵌合方向からの視点で、前記第１のハウジングに対して前記第２のハウジングとともに変位する前記放熱部に対し、前記露出部の少なくとも一部が重なる
請求項１〜請求項７いずれか１項記載の可動コネクタ。
【請求項９】
前記第１のハウジングは、前記露出部を部分的に覆って前記接続対象物の誤挿入を防ぐ誤挿入防止部を有する
請求項８記載の可動コネクタ。
【請求項１０】
前記第１のハウジングは、前記収容空間を取り囲む壁部を有し、
前記壁部は、前記収容空間と前記外部空間とを連通する窓部を有する
請求項１〜請求項９いずれか１項記載の可動コネクタ。
【請求項１１】
前記第２の係合部は、前記可動部の伸長方向に沿って伸長する
請求項１〜請求項１０いずれか１項記載の可動コネクタ。
【発明の詳細な説明】
【技術分野】
【０００１】
本発明は、可動コネクタに関し、特に大電流用に適した可動コネクタに関する。
【背景技術】
【０００２】
固定ハウジングと、接続対象物と嵌合接続する可動ハウジングと、接続対象物と導通接触する接触部と、可動ハウジングを固定ハウジングに対して変位可能に支持する可動部とを有する複数の端子とを備える可動コネクタが知られている。可動コネクタは、固定ハウジングと可動ハウジングとの間の領域に位置する可動部が弾性変形することで、可動ハウジングが固定ハウジングに対して変位して、接続対象物との嵌合の際の位置ずれを吸収できるように構成されている。可動ハウジングは、接続対象物が抜去される方向への自身の変位を固定ハウジングの側と接触することで規制する係止片を有している。この中でも、例えば特許文献１で示すように、可動ハウジングの係止片が端子の可動部よりも抜去方向側に設けられている可動コネクタが知られている。
【先行技術文献】
【特許文献】
【０００３】
【特許文献１】実開平０５−０２３４６５号公報、図１
【発明の概要】
【発明が解決しようとする課題】
【０００４】
端子は、例えば大電流通電時には、発熱量が増加する。このとき、熱の発生源である端子を収容する可動コネクタの内部空間では熱が籠もってしまいやすい。例えば、係止片が可動部よりも抜去方向側に位置するような、端子の特に可動部と、可動コネクタの外部空間との間で係止片が障壁となる構造の場合には、可動コネクタの内部空間で蓄積された熱が放散されにくくなってしまう。このため、可動コネクタの信頼性が低下してしまう。
【０００５】
他方で、この問題を避けるために、可動部よりも接続対象物の嵌合方向側に係止片を設ける構成を考えることもできる。この場合には、例えば端子の配列方向における両外側である可動ハウジングの側壁に係止片を設けることができる。しかしながら、このような構成では、固定ハウジングの側壁にも係止片と接触する孔等を形成する必要がある。すると、固定ハウジングの側壁の強度が低下しやすくなるとともに、可動コネクタの基板への固定部材を設ける位置が制限されてしまう。さらに、固定ハウジングの側壁を通り抜ける係止片の変位代が必要となり、可動コネクタが端子の配列方向で大型化したり、可動コネクタの周囲に電子部品が配置できなかったりする。
【０００６】
以上のような従来技術を背景になされたのが本発明である。本発明の目的は、可動コネクタの放熱性を向上させることにある。
【課題を解決するための手段】
【０００７】
上記目的を達成すべく本発明は、以下の特徴を有するものとして構成される。
【０００８】
すなわち、本発明は、基板に取り付けられる第１のハウジングと、接続対象物と嵌合接続する第２のハウジングと、前記接続対象物と導通接触する接触部と、前記第２のハウジングを前記第１のハウジングに対して変位可能に支持する可動部とを有する端子と、前記第２のハウジング及び前記端子の収容空間とを備えており、前記第１のハウジングは、前記接続対象物の嵌合方向に対する交差方向に伸長する第１の係合部を有し、前記第２のハウジングは、前記嵌合方向とは反対方向である抜去方向の前記第２のハウジングの変位を前記第１の係合部と接触して規制する第２の係合部を有している可動コネクタにおいて、前記第２の係合部は、前記収容空間内の熱が外部空間へと対流する放熱部を有することを特徴とする。
【０００９】
可動部が収容される収容空間には、端子から発生する熱が籠もりやすい。しかしながら、本発明の可動コネクタにおける第２の係合部は、収容空間内の熱を外部空間へと流すことができる放熱部を有する。このため、本発明によれば、放熱部を伝って収容空間内の熱を可動コネクタの外部に放散することができる。
【００１０】
前記放熱部は、前記第２の係合部を貫通する貫通孔で構成することができる。
【００１１】
本発明によれば、放熱部が第２の係合部を貫通する貫通孔で構成されるので、放熱部を容易に形成することができ、そして比較的単純な構成でありながら、可動コネクタの放熱性を向上させることができる。
【００１２】
前記第２の係合部は、複数の係合突起によって構成されており、前記放熱部は、前記交差方向で隣り合う前記係合突起の間に設けられるように構成できる。
【００１３】
本発明によれば、第２の係合部が複数の係合突起によって構成されるので、第２の係合部が例えば大きな単一の係合片である場合と比べて、軽量化しながら、隣り合う係合突起の間に形成された放熱部から収容空間内の熱を外部に放散することができる。
【００１４】
前記第２のハウジングは、前記交差方向で隣り合う前記係合突起どうしを連結する係合突起連結部を有するように構成できる。
【００１５】
本発明の第２のハウジングは、第２の係合部を構成する隣り合う係合突起どうしを連結する係合突起連結部を有する。このため、本発明によれば、係合突起の構造を補強しつつ、収容空間内の熱を外部に放散することができる。
【００１６】
前記第２の係合部は、前記可動部よりも前記抜去方向の側に位置するように構成できる。
【００１７】
通常では、第２の係合部が端子の可動部よりも接続対象物の抜去方向の側に位置する構造の場合には、端子の特に可動部と、可動コネクタの外部空間との間で係止片が障壁となって、可動コネクタの内部空間で蓄積された熱が放散されにくい。しかしながら、本発明によれば、第２の係合部が放熱部を有するので、このような構造の可動コネクタにおいても何ら問題なく放熱部を伝って収容空間内の熱を可動コネクタの外部に放散することができる。しかも、本発明によれば、第２の係合部が可動部よりも接続対象物の抜去方向の側に位置するので、例えば端子の配列方向における両外側である可動ハウジングの側壁に係止片を設けるために、固定ハウジングの側壁に係止片と接触する孔等を形成する必要がない。このため、固定ハウジングの側壁の強度が低下しやすくなることや、可動コネクタの基板への固定部材を設ける位置が制限されてしまうことがない。さらに、固定ハウジングの側壁を通り抜ける係止片の変位代を必要としないため、可動コネクタが端子の配列方向で大型化することもなく、可動コネクタの周囲に問題なく電子部品を配置できる。
【００１８】
少なくとも前記可動部の一部は、前記嵌合方向からの視点で、前記放熱部と重なるように位置するように構成できる。
【００１９】
本発明の可動部の一部は、嵌合方向からの視点で、放熱部と重なるように位置している。このため、可動部の一部と放熱部との間には、熱の対流の妨げとなるものがない。したがって、本発明によれば、端子の中でも特に可動部から発生した収容空間内の熱を外部に放散することができる。
【００２０】
前記可動部は、前記抜去方向側に折り返し部を有しており、前記折り返し部は、前記嵌合方向からの視点で、前記放熱部からずれて位置するように構成できる。
【００２１】
本発明の可動部の折り返し部は、嵌合方向からの視点で、放熱部からはずれて位置している。このため、折り返し部は、嵌合方向からの視点で放熱部越しに露出しない。したがって、本発明によれば、異物等が万一放熱部を通り抜けたとしても、折り返し部とは当たらないため、可動部が損傷を受けることが防がれる。
【００２２】
前記第１のハウジングは、前記放熱部と連通して前記第１のハウジングの外部に前記放熱部を露出させる露出部を有し、前記嵌合方向からの視点で、前記第１のハウジングに対して前記第２のハウジングとともに変位する前記放熱部に対し、前記露出部の少なくとも一部が重なるように構成できる。
【００２３】
本発明の第１のハウジングは、放熱部と連通して第１のハウジングの外部に放熱部を露出させる露出部を有している。そして、可動コネクタは、第１のハウジングに対する第２のハウジングの可動範囲で放熱部がいかに変位したとしても、露出部の少なくとも一部は、嵌合方向からの視点で放熱部と重なるように形成されている。このため、可動コネクタでは、第１のハウジングに対して第２のハウジングが変位することで、放熱部の全ての領域が第１のハウジングに覆い隠されてしまうことがない。したがって、本発明によれば、第１のハウジングに対する第２のハウジングの変位位置に関係なく、放熱部を伝って収容空間内の熱を可動コネクタの外部に放散することができる。
【００２４】
前記第１のハウジングは、前記露出部を部分的に覆って前記接続対象物の誤挿入を防ぐ誤挿入防止部を有するように構成できる。
【００２５】
本発明の第１のハウジングにおける露出部には、誤挿入防止部が形成されている。誤挿入防止部は、例えば露出部を区切り、区切られた個々の領域の断面積を接続対象物の断面積よりも小さくする。このため、接続対象物は、露出部を通り抜けることがなく、可動コネクタに対する誤挿入が防止される。
【００２６】
前記誤挿入防止部は、前記端子の伸長方向に沿って伸長して前記露出部を個々の露出孔に区切り、少なくとも前記可動部の一部は、前記嵌合方向からの視点で、前記露出孔と重なるように位置するように構成できる。
【００２７】
本発明の可動部の一部は、嵌合方向からの視点で、露出孔と重なるように位置している。このため、可動部の一部と露出孔との間には、熱が対流する経路が形成されている。したがって、本発明によれば、端子の中でも特に可動部から発生した収容空間内の熱を外部に放散することができる。
【００２８】
前記第１のハウジングは、前記収容空間を取り囲む壁部を有し、前記壁部は、前記収容空間と前記外部空間とを連通する窓部を有するように構成できる。
【００２９】
収容空間を取り囲むように構成されている本発明の第１のハウジングにおける壁部は、収容空間と外部空間とを連通する窓部を有している。このため、窓部を給気口として外部空間から収容空間に給気することで、収容空間から放熱部を介して外部空間へと空気の流れを作ることができる。したがって、本発明によれば、窓部からの給気を利用して収容空間内の熱を外部に放散することができる。
【００３０】
前記第２の係合部は、前記可動部の伸長方向に沿って伸長するように構成できる。
【００３１】
本発明の第２の係合部は、可動部の伸長方向に沿って伸長している。このため、第２の係合部を可動部、すなわち端子の配列方向に伸長するように形成する必要がない。したがって、端子配列方向において可動コネクタを小型化することができる。さらに、第２の係合部は、他の方向と比べて可動部の伸長方向により長く伸長している。したがって、本発明によれば、第１の係合部と第２の係合部とでより長い係合代を確保することができ、抜去方向側に変位する第２の係合部が第１の係合部と接触した際の応力を分散することができる。
【発明の効果】
【００３２】
本発明によれば、放熱部を伝って収容空間内の熱を可動コネクタの外部に放散することができる。
【図面の簡単な説明】
【００３３】
【図１】第１実施形態による可動コネクタを示す正面、右側面、平面を含む外観斜視図。
【図２】図１の可動コネクタの平面図。
【図３】図２のＩＩＩ−ＩＩＩ線断面図。
【図４】図２のＩＶ−ＩＶ線断面図。
【図５】図１の可動コネクタのハウジングについて変位していない状態を示す平面図。
【図６】図１の可動コネクタのハウジングについて最大限変位した状態を示す平面図。
【図７】図１の可動コネクタに備える可動ハウジングを示す正面、右側面、平面を含む外観斜視図。
【図８】第２実施形態による可動コネクタを示す正面、右側面、平面を含む外観斜視図。
【図９】図８の可動コネクタに備える可動ハウジングを示す正面、右側面、底面を含む外観斜視図。
【図１０】第３実施形態による可動コネクタに備える可動ハウジングを示す正面、右側面、平面を含む外観斜視図。
【発明を実施するための形態】
【００３４】
以下、本発明の実施形態について図面を参照しつつ説明する。本発明の「可動コネクタ」の一実施形態としてのソケットコネクタ１は、「基板」としての回路基板Ｐ１（図３等参照）に実装される。そして、ソケットコネクタ１は、「接続対象物」としての図示せぬプラグコネクタと嵌合接続して、回路基板Ｐ１と導通接続するものである。
【００３５】
本明細書及び特許請求の範囲に「第１」、「第２」と記載する場合、それらは、発明の異なる構成要素を区別するために用いるものであり、特定の順序や優劣等を示すために用いるものではない。本明細書及び特許請求の範囲では、便宜上、図１等に示されるように、ソケットコネクタ１の幅方向（左右方向）をＸ方向、奥行き方向（前後方向）をＹ方向、高さ方向（上下方向）をＺ方向として記載する。そして、ソケットコネクタ１のＺ方向における回路基板Ｐ１の側を下側とし、ソケットコネクタ１の側を上側として記載する。しかしながら、それらは、ソケットコネクタ１等の嵌合接続の方向や回路基板Ｐ１に対する実装の仕方を限定するものではない。ここでのソケットコネクタ１は、「端子の配列方向」がＸ方向、「端子伸長方向」及び「接続対象物との接触方向」がＹ方向、「接続対象物の嵌合方向」がＺ方向の下向き、「接続対象物の抜去方向」がＺ方向の上向きとなるように配置されている。
【００３６】
第１実施形態〔図１〜図７〕
【００３７】
ソケットコネクタ１の構成〔図１〜図７〕
【００３８】
図１等で示すように、ソケットコネクタ１は、「第１のハウジング」としての固定ハウジング２と、「第２のハウジング」としての可動ハウジング３と、複数の端子４とを備えている。このソケットコネクタ１は、Ｘ方向及びＹ方向に沿って配置されている回路基板Ｐ１の一方面である「基板面」としての上面Ｐ２に実装される。そして、ソケットコネクタ１は、固定ハウジング２に対して可動ハウジング３が変位可能に構成されている。プラグコネクタは、回路基板Ｐ１の上面Ｐ２に向けて近づくＺ方向における下向きをソケットコネクタ１との嵌合方向として、ソケットコネクタ１の上方から嵌合してそれぞれの接点どうしが導通接続するように構成されている。
【００３９】
固定ハウジング２
【００４０】
固定ハウジング２は、樹脂成形体で形成されている。図１等で示すように、固定ハウジング２は、Ｚ方向に最も短く、そしてＹ方向と比べてＸ方向にやや長い中空の直方体状に形成されている。固定ハウジング２は、回路基板Ｐ１の上面Ｐ２に配置される。そして、固定ハウジング２は、板片が二つ折りにされて正面視でＬ字状の固定金具５によって回路基板Ｐ１に固定される。固定ハウジング２は、平面視で四隅の位置に、それぞれＺ方向に溝状に伸長する固定金具取付部２ｂを有している。そして、固定金具５は、Ｌ字状の一方側の板片を固定金具取付部２ｂの下端側から圧入して固定ハウジング２に固定し、Ｌ字状の他方側の板片を半田付け等によって回路基板Ｐ１に固定するように構成されている。
【００４１】
中空の固定ハウジング２は、その内部において、回路基板Ｐ１の上面Ｐ２との間に収容空間２ａを有して回路基板Ｐ１に取り付けられる。収容空間２ａには、可動ハウジング３と端子４とが収容される。可動ハウジング３は、後述のように、「第２の係合部」としての可動側係合部３ａを有しており、この可動側係合部３ａには、放熱部３ｂが形成されている（図５及び図６参照）。そして、端子４は、後述のように、収容空間２ａに収容されて可動ハウジング３を固定ハウジング２に対して変位可能に支持する可動部４ｃを有している（図３等参照）。
【００４２】
固定ハウジング２は、中空の直方体状の外装を構成して収容空間２ａを取り囲むいずれも平板状の「壁部」としての前壁部２ｃと、「壁部」としての後壁部２ｄと、「壁部」としての横壁部２ｅ，２ｅと、「壁部」としての上壁部２ｆ，２ｆとを有している。Ｙ方向における前方に位置する前壁部２ｃとＹ方向における後方に位置する後壁部２ｄとは、双方ともＸ方向及びＺ方向に沿っている。Ｘ方向における左右両外側にそれぞれ位置する横壁部２ｅ，２ｅは、双方ともＹ方向及びＺ方向に沿っており、前壁部２ｃと後壁部２ｄとを連結している。Ｙ方向における前方及び後方にそれぞれ位置する上壁部２ｆ，２ｆは、それぞれ前壁部２ｃの上端及び後壁部２ｄの上端に連結している。そして、上壁部２ｆ，２ｆは、双方ともＸ方向及びＹ方向に沿っており、双方とも左右の横壁部２ｅ，２ｅを連結している。
【００４３】
固定ハウジング２の上面には、平面視で矩形状の周縁を有する上面開口部２ｇが形成されている。上面開口部２ｇの周縁は、前後の上壁部２ｆ，２ｆと左右の横壁部２ｅ，２ｅとによって構成されている。そして、収容空間２ａに収容された可動ハウジング３は、その上部が上面開口部２ｇから外部に露出している。固定ハウジング２は、上面開口部２ｇの周縁を構成する前後の上壁部２ｆ，２ｆによって可動ハウジング３のＹ方向への変位を規制しており、上面開口部２ｇの周縁を構成する左右の横壁部２ｅ，２ｅによって可動ハウジング３のＸ方向への変位を規制している。
【００４４】
上壁部２ｆ，２ｆは、「第１の係合部」としても機能する。すなわち、固定ハウジング２は、プラグコネクタの嵌合方向に対する交差方向としてＸ方向及びＹ方向に伸長する上壁部２ｆ，２ｆを有している。上壁部２ｆ，２ｆは、可動ハウジング３の可動側係合部３ａと接触して、固定ハウジング２に対する可動ハウジング３のＺ方向における上向き、すなわちプラグコネクタの嵌合方向とは反対方向であるプラグコネクタの抜去方向への変位を規制する機能を有している。
【００４５】
固定ハウジング２は、上壁部２ｆ，２ｆに、可動ハウジング３の放熱部３ｂと連通して固定ハウジング２の外部に放熱部３ｂを露出させる露出部２ｈを有している。ここで、放熱部３ｂは、固定ハウジング２に対する可動ハウジング３の変位に伴って変位する。これに対し、ソケットコネクタ１は、固定ハウジング２に対する可動ハウジング３の可動範囲で放熱部３ｂがいかに変位したとしても、露出部２ｈの少なくとも一部は、平面視で放熱部３ｂと重なるように形成されている。このため、ソケットコネクタ１では、固定ハウジング２に対して可動ハウジング３が変位することで、放熱部３ｂの全ての領域が固定ハウジング２に覆い隠されてしまうことがない。したがって、本実施形態によれば、固定ハウジング２に対する可動ハウジング３の変位位置に関係なく、放熱部３ｂを伝って収容空間２ａ内の熱をソケットコネクタ１の外部に放散することができる。
【００４６】
例えば、本実施形態のソケットコネクタ１は、図５で示すように、その前側及び後側に各々２つずつの露出部２ｈ及び放熱部３ｂを有している。そして、固定ハウジング２に対して可動ハウジング３が変位していない状態では、各露出部２ｈのＹ方向における内側の領域は、いずれも各放熱部３ｂのＹ方向における外側の領域と重なっている。
【００４７】
他方で、図６で示すように、固定ハウジング２に対して可動ハウジング３がＸ方向及びＹ方向に可動範囲の最大限変位している状態では、前側の２つの露出部２ｈと放熱部３ｂとが双方とも重なっていない。しかしながら、後側の２つの露出部２ｈは、双方とも放熱部３ｂと重なっている。
【００４８】
このように、固定ハウジング２に対して可動ハウジング３がどのように可動しても、露出部２ｈの少なくとも一部には、平面視で放熱部３ｂが露出するようにソケットコネクタ１は構成されている。このため、本実施形態によれば、固定ハウジング２に対する可動ハウジング３の変位位置に関係なく、放熱部３ｂを伝って収容空間２ａ内の熱をソケットコネクタ１の外部に放散することができる。
【００４９】
露出部２ｈは、より具体的には、上壁部２ｆ，２ｆをＺ方向に貫通する露出孔２ｉによって構成されている。そして、露出部２ｈには、「誤挿入防止部」としての隔壁２ｊがＹ方向に伸長して形成されている。すなわち、露出部２ｈは、双方ともにＹ方向に伸長する露出孔２ｉと、隔壁２ｊとを有している。隔壁２ｊは、露出部２ｈを部分的に覆ってプラグコネクタの誤挿入を防ぐ機能を有している。隔壁２ｊは、例えば露出部２ｈを区切り、区切られた個々の露出孔２ｉの断面積をプラグコネクタの先端の断面積よりも小さくする。このため、プラグコネクタは、露出部２ｈを通り抜けることがなく、ソケットコネクタ１に対する誤挿入が防止される。
【００５０】
固定ハウジング２の外装を構成し、収容空間２ａを取り囲む「壁部」の各々は、収容空間２ａと外部空間とを連通する「窓部」を有していても良い。本実施形態では、前壁部２ｃと上壁部２ｆ及び後壁部２ｄと上壁部２ｆは、「窓部」としての伸長方向側窓部２ｋを有しており、横壁部２ｅは、「窓部」としての配列方向側窓部２ｌを有している。
【００５１】
前壁部２ｃの側の伸長方向側窓部２ｋは、前側の上壁部２ｆに形成されている露出孔２ｉから連続してＹ方向に沿って前方に伸長し、前壁部２ｃの上端からＺ方向に沿って下方に伸長している。後壁部２ｄの側の伸長方向側窓部２ｋは、後側の上壁部２ｆに形成されている露出孔２ｉから連続してＹ方向に沿って後方に伸長し、後壁部２ｄの上端からＺ方向に沿って下方に伸長している。伸長方向側窓部２ｋは、前壁部２ｃ及び後壁部２ｄにおける全高の７割程度の長さを有している。
【００５２】
伸長方向側窓部２ｋは、端子４との距離が近い前壁部２ｃ及び後壁部２ｄに設けられている。このため、伸長方向側窓部２ｋでは、個々の端子４の近くから給気することができる。伸長方向側窓部２ｋでは、特にＸ方向における中央側に位置する端子４に向けて直接的に外気を導入することができる。そして、熱の発生源である端子４の近くに比較的低い温度の外気が導入されることで、収容空間２ａの内部において、端子４の熱によって温められた空気との間に温度差を作り出し、自然対流が起こりやすくできる。したがって、前壁部２ｃ及び後壁部２ｄの少なくとも一方に伸長方向側窓部２ｋが設けられることによって、伸長方向側窓部２ｋからの給気を利用して収容空間２ａ内の熱を外部に放散することができる。
【００５３】
配列方向側窓部２ｌは、横壁部２ｅの下端からＺ方向に沿って上方に伸長している。配列方向側窓部２ｌは、横壁部２ｅにおける全高の６割程度の長さを有している。配列方向側窓部２ｌは、伸長方向側窓部２ｋと比べて２．５倍程度の幅を有している。配列方向側窓部２ｌは、端子４からは比較的離れている横壁部２ｅに形成されている。このため、指や治具等が外部から横壁部２ｅに形成された配列方向側窓部２ｌを通して端子４に接触する可能性が低い。したがって、横壁部２ｅには、大きな断面積で配列方向側窓部２ｌを形成することができ、外部空間から収容空間２ａに大きな流量で外気を導入することができる。よって、横壁部２ｅ，２ｅの少なくとも一方に配列方向側窓部２ｌが設けられることで、配列方向側窓部２ｌからの給気を利用して収容空間２ａ内の熱を外部に放散することができる。
【００５４】
以上のように、前壁部２ｃと上壁部２ｆ及び後壁部２ｄと上壁部２ｆは、伸長方向側窓部２ｋを有しており、横壁部２ｅは、配列方向側窓部２ｌを有している。このため、伸長方向側窓部２ｋ及び配列方向側窓部２ｌの少なくとも一方を給気口として外部空間から収容空間２ａに給気することで、収容空間２ａから放熱部３ｂを介して外部空間へと空気の流れを作ることができる。したがって、本発明によれば、収容空間２ａ内の熱をより効率良く外部に放散することができる。
【００５５】
前壁部２ｃ及び後壁部２ｄの内面（収容空間２ａ）側には、これらのＺ方向における下端から上方に向かう溝でなる固定側端子保持部２ｍがＸ方向に沿って形成されている。固定側端子保持部２ｍは、端子４を保持する機能を有している。
【００５６】
前壁部２ｃ及び後壁部２ｄの下端は、固定側端子保持部２ｍが形成されている領域において回路基板Ｐ１の上面Ｐ２から離間している。すなわち、外部空間と収容空間２ａとは、固定側端子保持部２ｍよりも下方で連通している。このため、ソケットコネクタ１では、例えば伸長方向側窓部２ｋや配列方向側窓部２ｌが形成されていない構成であっても、固定側端子保持部２ｍと上面Ｐ２との間隙から収容空間２ａに外気を導入することができる。
【００５７】
このような固定側端子保持部２ｍは、前壁部２ｃ及び後壁部２ｄのそれぞれについてＸ方向に沿って複数並んで形成されている。本実施形態では、ソケットコネクタ１が２つの端子４をそれぞれ前後に有しているため、固定側端子保持部２ｍも前壁部２ｃ及び後壁部２ｄにそれぞれ２つ形成されている。
【００５８】
可動ハウジング３
【００５９】
可動ハウジング３は、樹脂成形体で形成されている。図１、図７等で示すように、可動ハウジング３は、固定ハウジング２に対応して、他の方向と比べてＸ方向に長い中空の直方体状に形成されている。可動ハウジング３は、固定ハウジング２に対して変位可能に配置されており、プラグコネクタと嵌合接続するように構成されている。
【００６０】
可動ハウジング３は、中空の直方体状の外装を構成して、いずれも平板状の正面壁３ｃと、背面壁３ｄと、側面壁３ｅ，３ｅと、天面壁３ｆとを有している。Ｙ方向における前方に位置する正面壁３ｃとＹ方向における後方に位置する背面壁３ｄとは、互いに対向するようにＸ方向及びＺ方向に沿っている。Ｘ方向における左右両外側にそれぞれ位置する側面壁３ｅ，３ｅは、互いに対向するようにＹ方向及びＺ方向に沿っており、正面壁３ｃと背面壁３ｄとをつないでいる。Ｚ方向における上方に位置する天面壁３ｆは、正面壁３ｃの上端、背面壁３ｄの上端及び側面壁３ｅ，３ｅの上端につながっている。
【００６１】
正面壁３ｃ、背面壁３ｄ及び側面壁３ｅ，３ｅの上部は、固定ハウジング２の上面に形成されている上面開口部２ｇよりも上方に突出している。そして、正面壁３ｃ及び背面壁３ｄがそれぞれ上面開口部２ｇの周縁を構成する前後の上壁部２ｆ，２ｆと接触することによって、固定ハウジング２に対する可動ハウジング３のＹ方向への過剰な変位が規制されている。同様に、側面壁３ｅ，３ｅがそれぞれ上面開口部２ｇの周縁を構成する左右の横壁部２ｅ，２ｅと接触することによって、固定ハウジング２に対する可動ハウジング３のＸ方向への過剰な変位が規制されている。
【００６２】
さらに、本実施形態の可動ハウジング３は、対向する正面壁３ｃと背面壁３ｄとの間をつなぐようにＹ方向及びＺ方向に沿って伸長する隔壁３ｇを有している。可動ハウジング３の内側には、プラグコネクタの嵌合室３ｈが形成されており（図３等参照）、嵌合室３ｈの上端に形成された開口は、プラグコネクタの挿入口３ｉとなっている。本実施形態では、隔壁３ｇが可動ハウジング３の内部空間をＸ方向における中心で二分しており、可動ハウジング３は、嵌合室３ｈ及び挿入口３ｉのそれぞれをＸ方向に沿って２つ有している。
【００６３】
天面壁３ｆ及び隔壁３ｇの双方の上端と天面壁３ｆ及び隔壁３ｇの双方の下端（挿入口３ｉ）との間には、逆四角錐台状の傾斜面である挿入誘導面３ｊが形成されている。挿入誘導面３ｊは、可動ハウジング３に対して嵌合するプラグコネクタを挿入口３ｉに向かって誘導して嵌合室３ｈに落とし込む部分である。
【００６４】
可動ハウジング３は、図３で示すように、「第２の係合部」としての可動側係合部３ａを有している。可動側係合部３ａは、固定ハウジング２の上壁部２ｆと接触することで、固定ハウジング２に対する可動ハウジング３のＺ方向における上向き、すなわちプラグコネクタの抜去方向への変位を規制する機能を有している。可動側係合部３ａは、固定ハウジング２のＹ方向における前部及び後部に位置する上壁部２ｆの下面側と接触するため、収容空間２ａに配置される。このため、可動側係合部３ａは、例えば可動ハウジング３の正面壁３ｃよりも前方及び背面壁３ｄよりも後方にそれぞれ形成されている。
【００６５】
可動側係合部３ａは、図３で示すように、端子４の可動部４ｃよりもＺ方向における上方に位置している。そして、可動側係合部３ａは、上壁部２ｆと近接した配置となっている。このため、可動側係合部３ａは、可動部４ｃと、ソケットコネクタ１の外部空間との間にあって、収容空間２ａから外部空間へと空気が流動する際には障壁となりやすい。このように、ソケットコネクタ１は、端子４の特に可動部４ｃと、ソケットコネクタ１の外部空間との間で可動側係合部３ａが障壁となる構造の場合においては、可動部４ｃが収容される収容空間２ａには、端子４から発生する熱が籠もりやすい。
【００６６】
これに対し、可動側係合部３ａは、収容空間２ａ内の熱が外部空間へと対流する放熱部３ｂを有する。これによって、収容空間２ａ内の熱が外部空間との間を熱伝導によって移動するだけでなく、収容空間２ａ内で熱を持った空気が放熱部３ｂを通して対流によって外部空間に直接移動する。このため、本実施形態によれば、放熱部３ｂを伝って収容空間２ａ内の熱をソケットコネクタ１の外部に放散することができる。
【００６７】
例えば、放熱部３ｂは、平板状の可動側係合部３ａを板厚方向（Ｚ方向）に貫通する貫通孔で構成することができる。この場合には、放熱部３ｂを容易に形成することができ、そして比較的単純な構成でありながら、ソケットコネクタ１の放熱性を向上させることができる。放熱部３ｂをＺ方向から視た孔面は、円形状であっても、四角形等の多角形状であっても良い。そして、これらの放熱部３ｂは、１つであっても、複数であっても良い。
【００６８】
可動側係合部３ａは、図７で示すように、例えば複数の係合突起３ｋによって構成されている。係合突起３ｋは、可動ハウジング３のＺ方向における中心よりも上方において、正面壁３ｃからＹ方向における前方及び背面壁３ｄからＹ方向における後方にそれぞれ伸長している。このように、本実施形態の係合突起３ｋは、可動部４ｃの伸長方向であるＹ方向に沿って伸長している。このため、係合突起３ｋを可動部４ｃ、すなわち端子４の配列方向であるＸ方向に伸長するように形成する必要がない。したがって、Ｘ方向においてソケットコネクタ１を小型化することができる。
【００６９】
さらに、係合突起３ｋは、他の方向と比べてＹ方向に長い四角柱状に形成されており、図５で示すように、可動ハウジング３が変位していない状態で、Ｙ方向において、自身の半分以上が上壁部２ｆと重なるような長さを有している。このようなソケットコネクタ１によれば、上壁部２ｆと係合突起３ｋとでより長い係合代を確保することができ、Ｚ方向における上方に変位する係合突起３ｋが上壁部２ｆと接触した際の応力を分散することができる。
【００７０】
係合突起３ｋは、Ｙ方向における前後に３本ずつ形成されている。３本の係合突起３ｋは、可動ハウジング３のＸ方向における両外側とＸ方向における中心とに配置されている。Ｘ方向における両外側の係合突起３ｋは、いずれも外側の面が側面壁３ｅと面一に形成されている。これによって、可動ハウジング３が固定ハウジング２に対してＸ方向に大きく変位した際に、側面壁３ｅとともに係合突起３ｋが横壁部２ｅに当たる。したがって、係合突起３ｋは、可動ハウジング３の過剰な変位の規制の妨げとはならずに、横壁部２ｅに当たる可動ハウジング３の圧力を分散することができる。
【００７１】
係合突起３ｋの上面は、側面視で可動ハウジング３に対して垂直につながっている。これによって、可動ハウジング３がＺ方向における上方及びＹ方向のいずれに大きく変位しても固定ハウジング２の上壁部２ｆが面で受け止めて、上壁部２ｆに当たる可動ハウジング３の圧力を分散することができる。他方で、係合突起３ｋの下面は、側面視で可動ハウジング３に対して四半円状の曲線を介してつながっている。これによって、係合突起３ｋの可動ハウジング３との接続基部が厚肉となり、係合突起３ｋの強度を充分に確保することができる。
【００７２】
本実施形態の可動ハウジング３は、図７等で示すように、可動側係合部３ａを構成してＸ方向で隣り合う係合突起３ｋ，３ｋの間に、収容空間２ａ内の熱が外部空間へと対流する放熱部３ｂを有している。放熱部３ｂは、図３で示すように、隣り合う係合突起３ｋ，３ｋの間隙をＺ方向に沿って伸長するように形成されている。放熱部３ｂは、収容空間２ａ内で熱せられて上部へ移動する空気の流路となる。収容空間２ａの熱は、放熱部３ｂを通過する対流によって外部空間へと運ばれる。このようなソケットコネクタ１によれば、係合突起３ｋ，３ｋの間に形成された流路を通して収容空間２ａ内の熱を外部に放散することができる。
【００７３】
なお、可動ハウジング３では、可動側係合部３ａが例えば大きな単一の係合片である場合と比べて、放熱部３ｂを形成した分だけ、材料としての樹脂の使用量が削減される。このため、可動ハウジング３は、放熱部３ｂを有することで、軽量化することもできる。
【００７４】
本実施形態の可動ハウジング３は、図７等で示すように、Ｘ方向で隣り合う係合突起３ｋどうしを連結する係合突起連結部３ｌを有している。係合突起連結部３ｌは、他の方向と比べてＸ方向に長い四角柱状に形成されている。そして、係合突起連結部３ｌは、係合突起３ｋ，３ｋのそれぞれの先端どうしをつないでＸ方向に沿って伸長している。係合突起連結部３ｌは、その上面及び下面をそれぞれ係合突起３ｋの上面及び下面と面一とするように形成されている。係合突起連結部３ｌは、可動ハウジング３に放熱部３ｂを残しながら、係合突起３ｋ，３ｋのそれぞれの先端どうしをつないでいる。放熱部３ｂの孔面は、係合突起連結部３ｌの側が角丸とされた四角形状とされている。このようなソケットコネクタ１によれば、係合突起３ｋの構造を補強しつつ、収容空間２ａ内の熱を外部に放散することができる。
【００７５】
正面壁３ｃ及び背面壁３ｄの内面（嵌合室３ｈ）側には、これらのＺ方向における下端から上方に向かう溝でなる可動側端子保持部３ｍがＸ方向に沿って形成されている。可動側端子保持部３ｍは、端子４を保持する機能を有している。
【００７６】
このような可動側端子保持部３ｍは、正面壁３ｃ及び背面壁３ｄのそれぞれについてＸ方向に沿って複数並んで形成されている。本実施形態では、ソケットコネクタ１が２つの端子４をそれぞれ前後に有しているため、可動側端子保持部３ｍも正面壁３ｃ及び背面壁３ｄにそれぞれ２つ形成されている。
【００７７】
端子４
【００７８】
本実施形態のソケットコネクタ１は、図２−４等で示すように、２つの端子４をそれぞれ前後に有している。そして、これらの４つの端子４は、全て同じ形状を有している。４つの端子４の各々は、ソケットコネクタ１のＸ方向における中心線を軸として線対称に配置されるとともに、Ｙ方向における中心線を軸としても線対称に配置されている。そして、これらの複数の端子４は、図３で示すように、いずれもその板幅方向をＸ方向として、板面がＹ方向及びＺ方向に沿うようにソケットコネクタ１に取り付けられている。したがって、複数の端子４は、いずれもＸ方向に配列されており、主にＹ方向に伸長している。ここでは、ソケットコネクタ１の後側に配置されている１つの端子４について説明する。ソケットコネクタ１の前側に配置されている端子４は、前後の位置関係が反対であること以外は後側に配置されている端子４と同様である。
【００７９】
端子４は、図３等で示すように、その一方の端部から他方の端部に向かって順に、基板接続部４ａと、固定側被保持部４ｂと、可動部４ｃと、可動側被保持部４ｄと、接触部４ｅとを有している。本実施形態の端子４は、平板の導電性金属片をプレス加工で打ち抜いた抜き端子として形成した電気伝導体である。そして、端子４の各機能部及びその形状は、打ち抜いた導電性金属片が屈曲加工されて一体に形成されている。すなわち、本実施形態の端子４は、単一部品として形成されている。
【００８０】
基板接続部４ａは、端子４を回路基板Ｐ１に導通接続するとともに固定する部分である。基板接続部４ａは、端子４の他の箇所と比べて、Ｚ方向における下方に位置している。基板接続部４ａは、回路基板Ｐ１に対してはんだ付け等で固定される（図３参照）。本実施形態の端子４は、いずれも他の方向と比べてＹ方向に長い四角柱状の５つの基板接続部４ａを有している。５つの基板接続部４ａの各々は、Ｘ方向に沿って等間隔に配置されており、全てがＹ方向に沿って伸長している。
【００８１】
固定側被保持部４ｂは、固定ハウジング２の固定側端子保持部２ｍによって保持される部分である。固定側被保持部４ｂは、基板接続部４ａにつながっており、基板接続部４ａよりも前側かつ上側に位置している。固定側被保持部４ｂは、ＸＺ平面に沿って伸長しており、他の方向と比べてＸ方向に長い平板状に形成されている。固定側被保持部４ｂは、正面視で矩形状の単一の部位で構成されている。１つの固定側被保持部４ｂから、下方には、５つの基板接続部４ａがＸ方向に沿って等間隔に伸長しており、上方には、５つの可動部４ｃがＸ方向に沿って等間隔に伸長している。
【００８２】
可動部４ｃは、収容空間２ａに収容されて可動ハウジング３を固定ハウジング２に対して変位可能に支持する機能を有している。可動部４ｃは、側面視で横向きのＳ字状に形成されている。Ｘ方向に沿って等間隔に伸長する５つの可動部４ｃは、全て同じ形状を有している。
【００８３】
可動部４ｃは、固定側被保持部４ｂの上端からＹ方向における前方かつＺ方向における上方に向かって伸長している。可動部４ｃは、Ｚ方向における上側の領域で、固定側被保持部４ｂから上方に伸長する端子４の向きを下方へと変化させる折り返し部４ｆを有している。折り返し部４ｆは、可動部４ｃの中においては上端に位置している。
【００８４】
折り返し部４ｆは、嵌合方向からの視点、すなわち平面視で、可動ハウジング３の放熱部３ｂからずれて位置していても良い。本実施形態の折り返し部４ｆは、図２及び図３で示すように、平面視で係合突起連結部３ｌと重なるように位置している。このため、折り返し部４ｆは、平面視で放熱部３ｂ越しに露出しない。したがって、このような構成を有するソケットコネクタ１によれば、異物等が万一放熱部３ｂを通り抜けたとしても、折り返し部４ｆとは当たらないため、可動部４ｃが損傷を受けることが防がれる。
【００８５】
端子４は、図３で示すように、折り返し部４ｆから可動側被保持部４ｄまでは、Ｚ方向における下方において２回屈曲して側面視でテーパ状に形成されている。端子４は、折り返し部４ｆから可動側被保持部４ｄまでの領域においてＹ方向に沿って伸長しており、図２で示すように、平面視でＸ方向により長く伸長する放熱部３ｂを横切っている。このように、少なくとも可動部４ｃの一部は、平面視で、放熱部３ｂと重なるように位置している。このため、可動部４ｃの一部と放熱部３ｂとの間には、熱の対流の妨げとなるものがない。したがって、このようなソケットコネクタ１によれば、端子４の中でも特に可動部４ｃから発生した収容空間２ａ内の熱を速やかに外部に放散することができる。
【００８６】
可動側被保持部４ｄは、可動ハウジング３の可動側端子保持部３ｍによって保持される部分である。可動側被保持部４ｄは、可動部４ｃにつながっており、可動部４ｃよりも前側に位置している。可動側被保持部４ｄは、ＸＺ平面に沿って伸長しており、他の方向と比べてＸ方向に長い平板状に形成されている。可動側被保持部４ｄは、正面視で矩形状の単一の部位で構成されている。１つの可動側被保持部４ｄから、下方には、５つの可動部４ｃがＸ方向に沿って等間隔に伸長しており、上方には、３つの接触部４ｅがＸ方向に沿って等間隔に伸長している。
【００８７】
接触部４ｅは、可動側被保持部４ｄの可動側端子保持部３ｍへの挿入に伴って可動ハウジング３の嵌合室３ｈに収容されており、プラグコネクタに対して導通接続する。接触部４ｅは、可動側被保持部４ｄから上方に向かって伸長している。接触部４ｅは、弾性片４ｅ１と、鎌刃状接触片４ｅ２とを有している。
【００８８】
弾性片４ｅ１は、可動側被保持部４ｄと連結する弾性片４ｅ１の下側部分を軸として、その上側部分が前後方向に変位しやすく構成されている。鎌刃状接触片４ｅ２は、弾性片４ｅ１の上端につながっており、弾性片４ｅ１によって変位可能に支持されている。鎌刃状接触片４ｅ２は、前方に向かって突出するように湾曲して形成されている。鎌刃状接触片４ｅ２は、プラグコネクタに対して、端子配列方向と交差する方向である「接続対象物との接触方向」、すなわちＹ方向における後方から前方に向けて押圧接触するように構成されている。
【００８９】
本実施形態の接触部４ｅは、Ｘ方向における両外側の２つの接触部４ｅと、Ｘ方向における中央の接触部４ｅとで形状が異なっている。すなわち、両外側の２つの接触部４ｅは、中央の接触部４ｅと比べて長い弾性片４ｅ１を有している。このため、両外側の２つの接触部４ｅの鎌刃状接触片４ｅ２は、中央の接触部４ｅの鎌刃状接触片４ｅ２と比べて上方に位置している。
【００９０】
以上のように、本実施形態のソケットコネクタ１における可動側係合部３ａは、収容空間２ａ内の熱が外部空間へと対流する放熱部３ｂを有する。このため、本実施形態によれば、放熱部３ｂを伝って収容空間２ａ内の熱をソケットコネクタ１の外部に放散することができる。
【００９１】
第２実施形態〔図８〜図９〕
【００９２】
以下、本発明の「可動コネクタ」の第２実施形態としてのソケットコネクタ２１について図面を参照しつつ、主に、上述のソケットコネクタ１とは構成の異なる部分を説明する。すなわち、ソケットコネクタ２１は、特に記載のない限り、上述のソケットコネクタ１と同様の効果を奏することができる。
【００９３】
ソケットコネクタ２１の構成〔図８〜図９〕
【００９４】
本実施形態のソケットコネクタ２１は、「第１のハウジング」としての固定ハウジング２２と、「第２のハウジング」としての可動ハウジング２３と、複数の端子４とを備えている。端子４は、ソケットコネクタ１とソケットコネクタ２１とで同様である。
【００９５】
固定ハウジング２２
【００９６】
本実施形態の固定ハウジング２２は、「壁部」としての前壁部２２ｃと、「壁部」としての後壁部２２ｄと、「壁部」としての横壁部２２ｅ，２２ｅと、「壁部」としての上壁部２２ｆ，２２ｆとを有している。さらに、本実施形態では、前壁部２２ｃと上壁部２２ｆ及び後壁部２２ｄと上壁部２２ｆは、「窓部」としての伸長方向側窓部２２ｋに対してＸ方向で隣接する複数の伸長方向側放熱板２２ｎを有している。そして、本実施形態では、横壁部２２ｅは、「窓部」としての配列方向側窓部２２ｌを区切るようにＺ方向に伸長する複数の配列方向側放熱板２２ｏを有している。固定ハウジング２２は、これ以外については固定ハウジング２と同様に構成されている。
【００９７】
伸長方向側放熱板２２ｎは、前壁部２２ｃの下端から上壁部２２ｆの後端にかけて、前壁部２２ｃ及び上壁部２２ｆのそれぞれの外面よりも一回り大きく外方に突出するフィン状（平板状）に形成されている。これは、後壁部２２ｄの側に形成されている伸長方向側放熱板２２ｎについても同様である。伸長方向側放熱板２２ｎは、いずれもＹＺ平面に沿って伸長している。そして、伸長方向側窓部２２ｋは、Ｘ方向で隣り合う伸長方向側放熱板２２ｎ，２２ｎの間に形成されている。伸長方向側放熱板２２ｎは、上壁部２２ｆの隔壁２ｊが形成されている領域では、隔壁２ｊの上に形成されている。そして、伸長方向側放熱板２２ｎは、隔壁２ｊと一体化している。
【００９８】
配列方向側放熱板２２ｏは、横壁部２２ｅの上端から下端にかけて、横壁部２２ｅ及び上壁部２ｆのそれぞれの外面よりも一回り大きく外方に突出するフィン状（平板状）に形成されている。配列方向側放熱板２２ｏは、いずれもＸＺ平面に沿って伸長している。そして、配列方向側窓部２２ｌは、Ｙ方向で隣り合う配列方向側放熱板２２ｏ，２２ｏの間に形成されている。
【００９９】
固定ハウジング２２は、収容空間２ａ内の熱を伸長方向側放熱板２２ｎ及び配列方向側放熱板２２ｏに熱伝導によって移動させ、外部との間で熱交換するように構成されている。そして、固定ハウジング２２は、伸長方向側放熱板２２ｎ及び配列方向側放熱板２２ｏを有することで、収容空間２ａ内の熱をより効率良く外部に放散することができる。
【０１００】
配列方向側放熱板２２ｏは、横壁部２２ｅの強度を確保することができる。このため、配列方向側窓部２２ｌは、配列方向側窓部２ｌと比べてＹ方向に大きく形成されている。よって、横壁部２ｅが配列方向側放熱板２２ｏを有することで、配列方向側窓部２２ｌをより大きな断面積で形成することができ、外部空間から収容空間２ａにより大きな流量で外気を導入することができる。よって、固定ハウジング２２がこのような配列方向側窓部２２ｌを有することで、大きな断面積の流路で収容空間２ａ内の熱を外部に放散することができる。
【０１０１】
本実施形態の伸長方向側放熱板２２ｎ及び配列方向側放熱板２２ｏは、前壁部２２ｃ、後壁部２２ｄ、横壁部２２ｅ，２２ｅ、上壁部２２ｆ，２２ｆ等と同じ樹脂材料によって一体に形成されている。しかしながら、伸長方向側放熱板２２ｎ及び配列方向側放熱板２２ｏには、樹脂材料には限らず、熱伝導率が高い別の材料が用いられても構わない。
【０１０２】
可動ハウジング２３
【０１０３】
本実施形態の可動ハウジング２３は、正面壁２３ｃと、背面壁２３ｄと、側面壁２３ｅ，２３ｅと、天面壁３ｆとを有している。さらに、本実施形態では、正面壁２３ｃは、正面開口部２３ｎを有し、背面壁２３ｄは、背面開口部２３ｏを有し、側面壁２３ｅ，２３ｅは、それぞれ側面開口部２３ｐ，２３ｐを有している。可動ハウジング２３は、これ以外については可動ハウジング３と同様に構成されている。
【０１０４】
正面開口部２３ｎは、正面壁２３ｃをＹ方向に貫通する貫通孔である。正面開口部２３ｎは、Ｚ方向において、可動側端子保持部３ｍ（図３等参照）と可動側係合部３ａとの間の領域に形成されている。正面開口部２３ｎは、端子４に対応して形成されている。したがって、正面開口部２３ｎは、Ｘ方向に沿って２つ並んで配置されている。正面壁２３ｃが正面開口部２３ｎを有することで、正面視で接触部４ｅの下側の領域が露出し、接触部４ｅにおいて発生した熱を収容空間２ａに放散することができる。背面開口部２３ｏは、前後の方向が異なる以外には正面開口部２３ｎと同様である。
【０１０５】
側面開口部２３ｐは、側面壁２３ｅをＸ方向に貫通する貫通孔である。側面開口部２３ｐは、側面壁２３ｅの下端からＺ方向に沿って上方に伸長している。側面開口部２３ｐは、側面壁２３ｅにおける全高の５割程度の長さを有している。側面壁２３ｅが側面開口部２３ｐを有することで、固定ハウジング２２の配列方向側放熱板２２ｏから導入される外気を嵌合室３ｈに給気することができ、接触部４ｅにおいて発生した熱を収容空間２ａに放散することができる。
【０１０６】
以上のように、本実施形態では、フィン構造による熱伝導及び「窓部」による対流によって、収容空間２ａ内の熱をソケットコネクタ２１の外部に放散することができる。
【０１０７】
第３実施形態〔図１０〕
【０１０８】
以下、本発明の「可動コネクタ」の第３実施形態としてのソケットコネクタ３１について図面を参照しつつ、主に、上述のソケットコネクタ１とは構成の異なる部分を説明する。すなわち、ソケットコネクタ３１は、特に記載のない限り、上述のソケットコネクタ１と同様の効果を奏することができる。
【０１０９】
ソケットコネクタ３１の構成〔図１０〕
【０１１０】
本実施形態のソケットコネクタ３１は、「第１のハウジング」としての固定ハウジング２と、「第２のハウジング」としての可動ハウジング３３と、複数の端子４とを備えている。固定ハウジング２及び端子４は、ソケットコネクタ１とソケットコネクタ３１とで同様である。
【０１１１】
可動ハウジング３３
本実施形態の可動ハウジング３３は、図１０で示すように、「第２の係合部」としての可動側係合部３３ａを有している。可動側係合部３３ａは、図１０で示すように、例えば複数の係合突起３３ｋによって構成されている。係合突起３３ｋのそれぞれは、他の方向と比べてＹ方向に長い柱形状とされている。そして、可動側係合部３３ａは、隣り合う係合突起３３ｋどうしを連結する係合突起連結部３ｌを有していない点で可動側係合部３ａとは異なる。
【０１１２】
複数の係合突起３３ｋ，３３ｋの間には空隙が形成されている。そして、本実施形態では、放熱部３３ｂは、貫通孔によるものではなく、係合突起３３ｋ，３３ｋの間の空隙によって流路が形成されている。このため、本実施形態では、可動側係合部３３ａが例えば大きな単一の係合片や、係合突起連結部３ｌを有する構成である場合と比べて、軽量化することができる。本実施形態では、その上で、隣り合う係合突起３３ｋ，３３ｋの間に形成された放熱部３３ｂから収容空間内の熱を外部に放散することができる。
【０１１３】
以上のように、本実施形態では、係合突起３３ｋ，３３ｋの間に形成された放熱部３３ｂを経路として、収容空間２ａ内の熱をソケットコネクタ３１の外部に放散することができる。
【０１１４】
本明細書において詳述した各実施形態による構成は、任意に組合せることが可能である。例えば、第３実施形態の可動側係合部３３ａが第２実施形態の可動ハウジング２３に適用されても良い。
【符号の説明】
【０１１５】
１      ソケットコネクタ（可動コネクタ）
２      固定ハウジング（第１のハウジング）
２ａ    収容空間
２ｂ    固定金具取付部
２ｃ    前壁部（壁部）
２ｄ    後壁部（壁部）
２ｅ    横壁部（壁部）
２ｆ    上壁部（壁部、第１の係合部）
２ｇ    上面開口部
２ｈ    露出部
２ｉ    露出孔
２ｊ    隔壁（誤挿入防止部）
２ｋ    伸長方向側窓部（窓部）
２ｌ    配列方向側窓部（窓部）
２ｍ    固定側端子保持部
３      可動ハウジング（第２のハウジング）
３ａ    可動側係合部（第２の係合部）
３ｂ    放熱部
３ｃ    正面壁
３ｄ    背面壁
３ｅ    側面壁
３ｆ    天面壁
３ｇ    隔壁
３ｈ    嵌合室
３ｉ    挿入口
３ｊ    挿入誘導面
３ｋ    係合突起
３ｌ    係合突起連結部
３ｍ    可動側端子保持部
４      端子
４ａ    基板接続部
４ｂ    固定側被保持部
４ｃ    可動部
４ｄ    可動側被保持部
４ｅ    接触部
４ｅ１  弾性片
４ｅ２  鎌刃状接触片
４ｆ    折り返し部
５      固定金具
２１      ソケットコネクタ（可動コネクタ）
２２      固定ハウジング（第１のハウジング）
２２ｃ    前壁部（壁部）
２２ｄ    後壁部（壁部）
２２ｅ    横壁部（壁部）
２２ｆ    上壁部（壁部、第１の係合部）
２２ｋ    伸長方向側窓部（窓部）
２２ｌ    配列方向側窓部（窓部）
２２ｎ    伸長方向側放熱板
２２ｏ    配列方向側放熱板
２３      可動ハウジング（第２のハウジング）
２３ｃ    正面壁
２３ｄ    背面壁
２３ｅ    側面壁
２３ｎ    正面開口部
２３ｏ    背面開口部
２３ｐ    側面開口部
３１      ソケットコネクタ（可動コネクタ）
３３      可動ハウジング（第２のハウジング）
３３ａ    可動側係合部（第２の係合部）
３３ｋ    係合突起
Ｐ１    回路基板（基板）
Ｐ２    上面（基板面）
Ｘ      幅方向、左右方向（端子の配列方向）
Ｙ      奥行き方向、前後方向（端子伸長方向、接続対象物との接触方向）
Ｚ      高さ方向、上下方向（接続対象物の嵌合方向及び抜去方向）
【図１】
2020202042.tif 000003
【図２】
2020202042.tif 000004
【図３】
2020202042.tif 000005
【図４】
2020202042.tif 000006
【図５】
2020202042.tif 000007
【図６】
2020202042.tif 000008
【図７】
2020202042.tif 000009
【図８】
2020202042.tif 000010
【図９】
2020202042.tif 000011
【図１０】
2020202042.tif 000012